(57)【要約】【課題】男性陰部の取り出し操作を容易にし、吸水性シートの大形化を図ることができ、さらに、男性陰部を包み込みやすくフィットしやすい失禁ショーツを提供することである。【解決手段】腰体を被う胴部１と、股下体に対応する吸水性シート２を備えたクロッチ部３とからなる失禁ショーツにおいて、前記吸水性シート２は、その前縁をパワーネット１５を介して前記胴部１に懸垂状に取り付けてクロッチ部３と遊離状態にしたのである。【選択図】図１
2005052409.tif 000002
【特許請求の範囲】
【請求項１】
腰体を被う胴部と、股下体に対応する吸水性シートを備えたクロッチ部とからなる失禁ショーツにおいて、前記吸水性シートは、その前縁を前記胴部に懸垂状に取り付けてクロッチ部と遊離状態にしたことを特徴とする男性用失禁ショーツ。
【請求項２】
前記吸水性シートは、吸水層の内側に透水布、外側に防水布を重ね合せた三層構造から成る請求項１に記載の男性用失禁ショーツ。
【請求項３】
前記吸水性シートは、前縁を彎曲縁に形成し、伸縮性パワーネットを介在して胴部に取り付けたことを特徴とする請求項１または２に記載の男性用失禁ショーツ。
【発明の詳細な説明】
【技術分野】
【０００１】
この発明は、ブリーフタイプの尿吸水性男性用失禁ショーツに関する。
【背景技術】
【０００２】
従来から、この種の男性用失禁ショーツには、図６、図７及び図８に示すように、腰体を被う胴部２１と股下体に対応する吸水性シート２２を内面に有するクロッチ部２３とからなり、胴部２１の前面に横開きの男性陰部取出口２４を備えたものが普及している。
【０００３】
上記吸水性シート２２は、全周縁が胴部２１の内地２５及びクロッチ部２３の身頃地にロックミシン縫い目２６でしっかりと縫合一体化されており、男性陰部取出口２４は、隙間を有する外地２７と内地２５からなり、内地２５には厚手の吸水性シート２２が固着された構造になっている。
【０００４】
このため、この失禁ショーツでは、男性陰部取出口２４を用いる場合（図８参照）、内地２５に厚手の吸水性シート２２が固着されているため、この吸水性シート２２を屈曲させたり、横へずらしたりすることが難かしく男性陰部Ａの取り出しに手間取り尿漏れにつながる欠点があった。
【０００５】
また、胴部前面において、吸水性シート２２を、外地２７の濡れをできるだけ少なくするため大形化しようとしても不可能であった。
【０００６】
さらに、吸水性シート２２は、厚手の不織布が主体で伸縮性に欠けるため、男性陰部全体を包み込みにくくフィット性が劣る難点があった。
【発明の開示】
【発明が解決しようとする課題】
【０００７】
そこで、この発明の課題は、男性陰部の取り出し操作を容易にし、吸水性シートの大形化を図ることができ、さらに、男性陰部を包み込みやすくフィットしやすい失禁ショーツを提供することである。
【課題を解決するための手段】
【０００８】
上記の課題を解決するために、この発明の失禁ショーツは、腰体を被う胴部と、股下体に対応する吸水性シートを備えたクロッチ部とからなる失禁ショーツにおいて、前記吸水性シートは、その前縁を前記胴部に懸垂状に取り付けてクロッチ部と遊離状態にしたのである。この吸水性シートは、内側透水布と吸水層及び外側防水布の三層構造にするのがよい。
【０００９】
また、前記吸水性シートは、前縁を彎曲縁に形成し、伸縮性パワーネットを介在して胴部に取り付けるのが好ましい。
【００１０】
この発明の失禁ショーツによると、男性陰部取出口において、厚手の吸水布は胴部身頃地から遊離状態であり、かつ、伸縮性パワーネットを介在して懸垂状に取り付けられているため、左右に自由に移動させやすく邪魔にならず、男性陰部の取り出し操作が容易となる。
【００１１】
また、吸水布の前縁が彎曲縁であるため吸水布全面が所要の彎曲面を形成するようになりクロッチ部にフィットしやすく、かつ、伸縮性パワーネットによって上下方向にも移動可能であって突出状男性陰部を包み込みやすい。
【００１２】
さらに、吸水布を所要量大形化してショーツ本体の身頃の濡れを防ぐことができる。
【発明の効果】
【００１３】
この発明によれば、以上のように、厚手の吸水性シートを前縁及び後縁のみでショーツ本体に取り付け、その中間部を遊離状態としたので、用便時にこの吸水布が横へずらしやすく、男性陰部取り出しに手間取らず尿漏れの懸念が少なくなる。また、吸水性シートは、前縁に高伸縮性パワーネットを介存させて取り付けると、さらに吸水性シートの自由度が大きくなる。
【００１４】
さらに、吸水性シートは、胴部の前面において左右方向及び上方向に拡大させて大形化することができ、漏尿の吸水効果が増加し、前縁及び後縁を彎曲縁とするとクロッチ部に沿った所要の彎曲面を呈するようになり、男性陰部をすっぽりと包み込むことができるなどの効果がある。
【発明を実施するための最良の形態】
【００１５】
以下、この発明の実施形態を図１乃至図６に基づいて説明する。図１及び図２に示すように、この失禁ショーツは、綿糸を用いた平編組織の伸縮性編地から縫製された筒形胴部１と、股下体に対応する厚手で縦長略台形状吸水性シート２を内面に有するクロッチ部３とから形成され、胴部１の前面に横開きの男性陰部取出口４が設けられている。
【００１６】
前記失禁ショーツには、胴部１の上端周縁にゴム紐入り袋状ウエスト・バンド５が設けられ、左右の足口部６、６には、ポリエステル・ポリウレタン混合の弾性編地からなる口ゴム帯７、７で縁取りが施され、前記男性陰部取出口４にも口ゴム帯８で縁取りが施されている。
【００１７】
前記吸水性シート２は、図３及び図４に示すように、クロッチ部３とほぼ同じ大きさに形成され、アクリル・ナイロン・ポリエステルなどの混合不織布等から成る厚手の吸水層９と、ポリエステル・フィラメントなどのメッシュ地からなる透水布１０と、ポリエステル・フィラメントなどのメッシュ地にポリウレタン・フィルムなどをラミネート加工した防水布１１との三層構造になっており、前縁は中央部が突出した彎曲縁１２に形成され、左右の双曲縁状両縁には縁取り１３、１３が施され、彎曲状後縁には長い縁取りテープ１４が取り付けられている。いうまでもなく、透水布１０は内側の人体に対向している。
【００１８】
なお、前記失禁ショーツ本体及び吸水性シート２の繊維素材としては、上述のような、綿、ポリエステル、ポリウレタン、アクリル、ナイロンなどに限定されるものではなく、用途に対応して他の素材を適宜選択することができる。
【００１９】
前記吸水性シート２は、前端の彎曲縁１２の先端には、ポリウレタン弾性糸からなる略方形状高伸縮性パワーネット１５が取り付けられ、このパワーネット１５を介在して胴部１のウエスト・バンド５に懸垂状に取り付けられ、吸水性シート本体の後端は、縁取りテープ１４のところでクロッチ部３の身頃地にロックミシン縫い目１６によって縫着されている。
【００２０】
このため、前記吸水性シート２は、前縁及び後縁を除く全面が胴部１及びクロッチ部３から遊離状態になっており、前縁には高伸縮性パワーネット１５が設けられているため、左右方向及び上下方向に自由に移動可能となる。
【００２１】
前記吸水性シート２は、失禁ショーツ本体への取付部分である前縁及び後縁が共に中央部が突出した彎曲縁に形成されているため、失禁ショーツ本体に取り付けた際、全面が所要の彎曲綿を形成するようになり、失禁ショーツ本体内面、特にクロッチ部３の内面にフィットするようになり、尿吸水効果が大きくなる。
【００２２】
前記失禁ショーツは、これを着用し男性陰部取出口４を使用する場合、図５に示すように、厚手の吸水性シート２を横へずらしたり、屈曲させ丸めたりすることが容易にできるため、男性陰部Ａ取り出しを素早く行うことができ、尿漏れを早目に防ぐことができる。
【００２３】
なお、前記失禁ショーツは、上述のように、ショーツ本体を縫製するための生地を平編地のほか、柔らかい綿パイル・ニット地を用いて肌触りを良くしフィット性を高めることもでき、胴部１にトップギャザーを設けて腰体への止着性を高めることもでき、抗菌防臭加工などを施すこともできる。
【００２４】
また、前記吸水性シート２は、上述の３層構造に限定されるものではなく、２層構造や４層構造のものとすることもでき、前端のパワーネット１５を省略することもできる。
【００２５】
さらに、前記失禁ショーツは、ＬＬ、Ｌ、Ｍ、Ｓなど各種サイズのものを作成することができ、ブリーフタイプのもののほか、短い脚部を有するトランクス・タイプのものなど、各種のパンツ・タイプのものに適用することができる。
【図面の簡単な説明】
【００２６】
【図１】この発明の失禁ショーツの一例を示す正面図
【図２】同上の断面図
【図３】同上の吸水布を示す平面図
【図４】図３のイ−イ線に沿った拡大断面図
【図５】同上の男性陰部取出口を示す説明図
【図６】従来例の失禁ショーツの一例を示す正面図
【図７】同上の断面図
【図８】同上の男性陰部取出口を示す説明図
【符号の説明】
【００２７】
Ａ    男性陰部
１、２１    胴部
２、２２    吸水性シート
３、２３    クロッチ部
４、２４    男性陰部取出口
５    ウエスト・バンド
６    足口部
７、８    口ゴム帯
９    吸水層
１０    透水布
１１    防水布
１２    彎曲縁
１３    縁取り
１４    縁取りテープ
１５    パワーネット
１６、２６    ロックミシン縫い目
２５    内地
２７    外地
【図１】
2005052409.tif 000003
【図２】
2005052409.tif 000004
【図３】
2005052409.tif 000005
【図４】
2005052409.tif 000006
【図５】
2005052409.tif 000007
【図６】
2005052409.tif 000008
【図７】
2005052409.tif 000009
【図８】
2005052409.tif 000010